(57)【要約】【課題】同一画面にデジタル情報による画像とこの画像とは別個の情報を同時に表示する場合に、画像の見づらさを解消する。【解決手段】ＤＶＤ再生装置２、ＨＤ装置３およびデジタル放送ＤＳを受信するチューナ４を内蔵するデジタル放送受信装置１では、デコーダ５はこれらのいずれかから供給されるデジタル情報に基づく画像を生成する。生成された画像は外部に接続のモニタ装置１２において、ＯＳＤ５１により該画像に関連の情報を示す画像が重ね合わせられて出力される。関連情報の画像はそのグラフィックデータのパラメータが調整されることにより、重ね合わせられたデジタル情報に基づく画像の視認を可能ならしめる態様で出力される。【選択図】        図１
2004328504.tif 000002
【特許請求の範囲】
【請求項１】
デジタル放送受信装置であって、
異なる種類のデジタル情報を供給するための複数機器と、
前記複数機器のいずれかから供給されるデジタル情報に基づく画像を生成する画像生成手段と、
前記画像生成手段により生成された前記デジタル情報に基づく画像を予め準備されたモニタに出力するための出力手段と、
前記モニタにおいて出力される前記デジタル情報に基づく画像に重ねて所定情報の画像を出力する画像重畳出力手段とを備えて、
前記画像重畳出力手段は、前記デジタル情報に基づく画像の視認を可能ならしめる態様で前記所定情報の画像を出力し、
前記画像重畳出力手段は、前記所定情報の画像ためのグラフィックデータを生成し、前記グラフィックデータの出力態様を決定するパラメータを変更し、
前記複数機器には、前記デジタル情報のためのデジタル放送信号のチューナが含まれる、デジタル放送受信装置。
【請求項２】
異なる種類のデジタル情報を供給するための複数機器を備えるデジタル複合機器であって、
前記複数機器のいずれかから供給されるデジタル情報に基づく画像を生成する画像生成手段と、
前記画像生成手段により生成された前記デジタル情報に基づく画像を予め準備されたモニタに出力するための出力手段と、
前記モニタにおいて出力される前記デジタル情報に基づく画像に重ねて所定情報の画像を出力する画像重畳出力手段とをさらに備えて、
前記画像重畳出力手段は、前記デジタル情報に基づく画像の視認を可能ならしめる態様で前記所定情報の画像を出力することを特徴とする、デジタル複合機器。
【請求項３】
前記画像重畳出力手段は、前記所定情報の画像ためのグラフィックデータを生成し、前記グラフィックデータの出力態様を決定するパラメータを変更することを特徴とする、請求項２に記載のデジタル複合機器。
【請求項４】
前記複数機器には、前記デジタル情報のためのデジタル放送信号のチューナが含まれる、請求項２に記載のデジタル複合機器。
【請求項５】
前記デジタル複合機器はデジタル放送受信装置である、請求項２から４のいずれか１項に記載のデジタル複合機器。
【発明の詳細な説明】
【０００１】
【発明の属する技術分野】
この発明はデジタル放送受信装置およびデジタル複合機器に関し、特にデジタル情報に基づく画像を表示する画面において該画面に関連の情報を重畳して表示することのできるデジタル放送受信装置およびデジタル複合機器に関する。
【０００２】
【従来の技術】
従来より画面上に画像に重畳して所望情報内容を表わす文字を表示する装置が提供されている（たとえば特許文献１参照）。
【０００３】
また、液晶表示素子などのディスプレイに静止画像を表示し手書き入力された線画像を任意の位置に移動させながら、また縮小／拡大などをさせながら静止画像に重ねて表示する装置が提供されている（たとえば特許文献２参照）。
【０００４】
また、受信したデジタル放送による画面をユーザが任意のタイミングで表示停止させる静止画機能も提供されている。静止画状態では、静止状態をユーザに示すための情報がＯＳＤ（Ｏｎ  Ｓｃｒｅｅｎ  Ｄｉｓｐｌａｙ）により静止画にオーバーラップ（重畳）して表示されたり、または全く何の情報も表示せずに画面を停止させることもある。
【０００５】
ＯＳＤにより情報が表示されている場合には、静止画の上にＯＳＤによる別の情報が表示されることになって、たとえば静止画においてユーザが確認したいと思っていた電話番号などが含まれていた場合には、この電話番号にＯＳＤによる情報が重なり見づらくなってしまう。最近は静止画記録機能の増加により、ＯＳＤによる静止画とともに表示する情報（たとえばデジタルカメラで撮影した静止画であれば撮影日付、枚数などの情報）の種類も多くなる傾向にある。
【０００６】
また、静止画のみが表示されＯＳＤによる別の情報が表示されない場合には、ユーザの意図しない状態で静止画が表示されていたとしても、これをユーザに対して通知することができない。
【０００７】
また、ＯＳＤによる情報を静止画に重畳して表示するのではなくて、画面を静止画の表示領域とＯＳＤによる情報の表示領域とに区分して、たとえば画面の端部（上下左右の部分）を特別にＯＳＤによる情報の表示領域として使用することもできる。このとき、静止画の画像はカットされるか、サイズ変更されてしまうから、静止画自体が見づらくなってしまう。
【０００８】
【特許文献１】
実開昭６３−１０６２７９号公報
【０００９】
【特許文献２】
特開平１１−３３８４５９号公報
【００１０】
【発明が解決しようとする課題】
従来は画面に画像を表示し、同時に該画像に関連の情報を表示できるけれども、関連情報を表示すると元の画像が見づらくなるという問題が残されていた。
【００１１】
それゆえに、この発明の目的は、同一画面にデジタル情報による画像とこの画像とは別個の情報を同時に表示する場合に、画像の見づらさを解消するようなデジタル放送受信装置およびデジタル複合機器を提供することである。
【００１２】
【課題を解決するための手段】
この発明のある局面に従うデジタル放送受信装置は、異なる種類のデジタル情報を供給するための複数機器と、複数機器のいずれかから供給されるデジタル情報に基づく画像を生成する画像生成手段と、画像生成手段により生成されたデジタル情報に基づく画像を予め準備されたモニタに出力するための出力手段と、モニタにおいて出力されるデジタル情報に基づく画像に重ねて所定情報の画像を出力する画像重畳出力手段とを備える。
【００１３】
そして、画像重畳出力手段は、デジタル情報に基づく画像の視認を可能ならしめる態様で所定情報の画像を出力し、画像重畳出力手段は、所定情報の画像ためのグラフィックデータを生成し、グラフィックデータの出力態様を決定するパラメータを変更し、複数機器には、デジタル情報のためのデジタル放送信号のチューナが含まれる。
【００１４】
この発明の他の局面に従う異なる種類のデジタル情報を供給するための複数機器を備えるデジタル複合機器は、複数機器のいずれかから供給されるデジタル情報に基づく画像を生成する画像生成手段と、画像生成手段により生成されたデジタル情報に基づく画像を予め準備されたモニタに出力するための出力手段と、モニタにおいて出力されるデジタル情報に基づく画像に重ねて所定情報の画像を出力する画像重畳出力手段とをさらに備えて、画像重畳出力手段は、デジタル情報に基づく画像の視認を可能ならしめる態様で所定情報の画像を出力する。
【００１５】
したがって、デジタル情報に基づく画像とともに所定情報の画像が出力されるとき、所定情報の画像はデジタル情報に基づく画像に重ねて表示されるが、デジタル情報に基づく画像の視認を可能ならしめる態様で表示される。
【００１６】
それゆえに、同一画面にデジタル情報による画像とこの画像とは別個の所定情報の画像が同時に表示されたとしても、デジタル情報に基づく画像が見づらくなることはない。
【００１７】
上述の画像重畳出力手段は好ましくは、所定情報の画像ためのグラフィックデータを生成し、前記グラフィックデータの出力態様を決定するパラメータを変更する。したがって、所定情報の画像は、そのグラフィックデータのパラメータを変更することで、デジタル情報に基づく画像の視認を可能ならしめる態様で表示される。
【００１８】
上述の複数機器には好ましくは、デジタル情報のためのデジタル放送信号のチューナが含まれる。したがって、デジタル放送信号による画像にこの画像とは別個の所定情報の画像を重ねて表示したとしても、デジタル放送信号による画像の視認性は損なわれない。
【００１９】
上述のデジタル複合機器は好ましくはデジタル放送受信装置である。したがって、異なる種類のデジタル情報を供給するための複数機器を備えたデジタル放送受信装置において、いずれの機器から供給されるデジタル情報であっても、該デジタル情報に基づく画像の視認性を損なうことなく該画像と所定情報の画像と重ね合せて表示できる。
【００２０】
上述の所定情報は好ましくは、デジタル情報に基づく画像に関連した情報である。
【００２１】
上述の複数機器には、ＨＤ装置が含まれてよい。または、ＤＶＤ装置が含まれてよい。または外部装置から与えられるデジタル情報を受理する機器が含まれてよい。
【００２２】
【発明の実施の形態】
以下、この発明の実施の形態について図面を参照して詳細に説明する。
【００２３】
図１は、この発明の実施の形態に係るデジタル放送受信装置の構成図である。図１においてデジタル放送受信装置１はＤＶＤ（Ｄｉｇｉｔａｌ  Ｖｅｒｓａｔｉｌｅ  Ｄｉｓｃ）再生装置２、図示されないハードディスクを内蔵し、該ハードディスクにデジタル情報を記録するとともに該ハードディスクからデジタル情報のコンテンツを再生するためのＨＤ（Ｈａｒｄ  Ｄｉｓｋ）装置３、放送局から送信されるデジタル放送信号ＤＳを受信する外部のアンテナ１３を接続するチューナ４、ＯＳＤ５１を内蔵するデコーダ５、メモリ６、映像出力部７、音声出力部８、リモコン（リモートコントローラの略）受信部９、制御部１０、リモコン１１、外部からデジタル情報を供給するための外部装置１５を接続する外部Ｉ／Ｆ（Ｉｎｔｅｒ  Ｆａｃｅ）１４を備える。Ｉ／Ｆ１４は外部装置１５から与えられるデジタル情報を受理する機器である。
【００２４】
ＤＶＤ再生装置２は光ディスクに記録されたデジタルコンテンツの信号を読出す装置である。ＨＤ装置３は、ユーザ所望のデジタルコンテンツの信号をハードディスクに記録し、その記録したデジタルコンテンツの信号を読出す装置である。ここで、ハードディスクに記録される信号としては、たとえばＭＰＥＧ２（Ｍｏｔｉｏｎ  Ｐｉｃｔｕｒｅ  Ｅｘｐｅｒｔｓ  Ｇｒｏｕｐ  ２）規格に準拠する映像ファイルやＭＰ３（ＭＰＥＧ−１  Ａｕｄｉｏ  Ｌａｙｅｒ３）規格に準拠する音声ファイルなどが挙げられる。
【００２５】
チューナ４は、放送局から発信されるデジタル放送信号ＤＳをアンテナ１３を介して入力すると、この信号ＤＳから制御部１０により指定されるチャンネルの放送信号（デジタルコンテンツの信号）を抽出して出力する。
【００２６】
デコーダ５は、ＤＶＤ再生装置２により再生されたデジタルコンテンツの信号、ＨＤ装置３がハードディスクから読出したデジタルコンテンツの信号、チューナ４が受信したデジタルコンテンツの信号および外部Ｉ／Ｆ１４を介して外部装置１５から入力したデジタルコンテンツの信号のうちのいずれかが制御部１０の切換制御により与えられると、与えられたそのデジタル信号を入力して復号（デコード）してモニタ装置１２に表示するための画像データを生成して出力する。デコーダ５が内蔵するＯＳＤ５１は制御部１０により与えられたグラフィックデータをモニタ装置１２の画面に可視表示するために映像出力部７に対して出力する。
【００２７】
メモリ６には、チューナ４が受信可能な放送チャンネルが予めチャンネルスキャン（オートスキャン）して取得されて格納され、また、制御部１０の動作プログラムが格納される。音声出力部８は、デコーダ５が復号した音声信号をモニタ装置１２が出力可能な音声信号に変換してモニタ装置１２に対して出力する。リモコン受信部９は、赤外線を介してリモコン１１から発信される各種の指令信号を受信して、その指令信号を制御部１０に伝送する。制御部１０は、メモリ６に格納された動作プログラムに基づいて装置各部の制御を行なう。リモコン１１は、ユーザが各種の指令を入力するために操作される装置であり、該指令に対応する赤外線信号を発信する。
【００２８】
アンテナ１３を介して受信したデジタル放送信号ＤＳはデコーダ５を介して画像としてモニタ装置１２にリアルタイムに出力されながらもＨＤ装置３において録画することができる。この録画中に、いわゆる追っかけ再生（タイムシフト再生）機能により、既に録画済みの番組の冒頭から再生を始めたり、音声付き２倍速再生などを使ってリアルタイム放送を追いかけるようにして再生することもできる。
【００２９】
また、アンテナ１３を介してデジタル放送信号ＤＳを受信して、チューナ４で所望チャンネルの信号を抽出して、該チャンネルのデジタル放送信号がデコーダ５でデコードされ、映像出力部７を介してモニタ装置１２に画像が表示される。このとき、デコーダ５において信号により生成された画像はバッファリングされながらモニタ装置１２に表示される。モニタ装置１２の画面を見ていたユーザが、リモコン１１を操作して表示画面の停止を指令すると、制御部１０はその瞬間にバッファリングされて表示されていた画像がモニタ装置１２において静止画となるように（更新されないように）デコーダ５を制御する。
【００３０】
デジタル放送信号ＤＳのリアルタイム放送による画像をモニタ装置１２において静止させて、該画像に関連した情報のグラフィックデータの画像も同時にＯＳＤ５１により表示させようとする場合の動作を、図２のフローチャートに従い説明する。
【００３１】
まず、ユーザがリモコン１１を操作して画面の停止を指令すると、該指令信号はリモコン受信部９を介して制御部１０に与えられるので、制御部１０は、該指令信号に基づいてデコーダ５を現在表示の画面を更新しない（静止させる）ように制御する。これによりたとえば図３の静止画１８が表示される（ステップＳ（以下、単にＳと略す）１）。
【００３２】
ユーザが番組放送中にチェックしたい電話番号が表示されたタイミングで、画面の停止を指令して、たとえば図３のように所望の電話番号の画像１７を含む静止画像１８がモニタ装置１２で表示された状態にあるとする。
【００３３】
制御部１０は、静止画像１８の表示がなされていることを検出すると、ＯＳＤ５１によりグラフィックデータによる情報を提示する必要がある、すなわち故障ではなく意図的に画面が停止していることを通知する情報を提示する必要があると判定して（Ｓ２でＹＥＳ）、該グラフィックデータを生成してＯＳＤ５１に与えて、ＯＳＤ５１により該グラフィックデータに従う画像が所定態様でモニタ装置１２に表示される（Ｓ３）。
【００３４】
つまりユーザに対してこれは故障ではなくて意図的に静止画が表示されていることを報知するために、図３のようにＯＳＤ５１により“ＳＴＩＬＬ”の文字の画像１９が静止画像１８に重畳して表示される。画像１９は静止画像１８に重畳して表示されるから、静止画像１８の情報が画像１９により隠れてしまったり、画像１９の表示位置によってはユーザが所望している電話番号の画像１７が隠れてしまったりする。
【００３５】
そこで、本実施の形態では、このような事態を避けて静止画像１８が画像１９が重畳表示されたとしても視認可能となるように画像１９の出力態様が変更される。具体的には、制御部１０はＯＳＤ５１が画像１８に重畳して表示している画像１９のグラフィックデータについて色の透過度のパラメータ、表示位置のパラメータ、画像１８に重ね合わせをする／しないを指示するパラメータなどのうちの１つまたは２つ以上の組合せを調整することで画像１９の出力（表示）の態様を変更する。色透過度のパラメータ調整により画像１９を透過させることができる。表示位置のパラメータ調整により画像１９を移動させることができる。重ね合わせをする／しないの指示パラメータの調整により画像１９を点滅させることができる。なお、調整されるパラメータの種類は、これに限定されない。
【００３６】
これにより画像１９は画像１８上に重畳して表示されるけれども、これらパラメータの変更により画像１９は透過表示されたり点滅表示されたり、画面の上下左右に常時移動しがら表示されたりする。したがって、電話番号の画像１７を含む画像１８が画像１９により隠れてしまって認識できなくなるような事態や、画像１８の表示領域が画像１９の表示領域のために制限されてしまい画像１８を認識しずらくなるという状態を回避できる。
【００３７】
その後、制御部１０はＯＳＤ５１による情報表示を終了するか否か判定する（Ｓ４）。たとえば、リモコン１１を介して静止画の表示を解除するユーザの指令を入力するか否かに基づいて判定する。制御部１０はその指令信号を入力したとき、図３の画像１９を消去するようにＯＳＤ５１を制御するとともに、デコーダ５を連続的にデジタル放送信号ＤＳによるリアルタイム放送の画像を表示するような元の状態に設定する。
【００３８】
なお、画像１９により表示される情報は図３に示されるものに限定されないし、画像１８も静止画としているが動画であってもよい。たとえば、アンテナ１３によりリアルタイムに受信しているデジタル放送信号ＤＳによる番組の動画像であってもよく、その場合には受信チャンネルの番号またはデジタル放送信号ＤＳから抽出した番組タイトルの情報が画像１９により表示されてよい。また、録画した番組のデータをＨＤ装置３からいわゆるタイムシフト再生または２倍速再生の画像１８をモニタ装置１２に表示しているときにＯＳＤ５１により再生表示の画面に“タイムシフト再生”または“２倍速再生中”の文字情報の画像１９を、前述のような表示態様を変更させながら表示してもよい。また、ＤＶＤ再生装置２から読出された記録データによる動画または静止画が画像１８として表示されてもよく、その場合にはデータのタイトルがＤＶＤから読出されて画像１９により表示されてよい。
【００３９】
また、画像１８は外部装置１５から外部Ｉ／Ｆ１４を介して供給されるデジタル情報による動画または静止画であってもよい。外部装置１５が例えばデジタルカメラであった場合には、撮影したデジタルの画像情報による画像１８が表示される。このときにＯＳＤ５１により表示される画像１９が提示する情報の種類には、撮影の日時、枚数などの情報が含まれる。なお、外部装置１５はデジタルカメラに限定されない。
【００４０】
なお、デコーダ５を介してモニタ装置１２に表示される画像１９のためのデータの供給源であってデジタル放送受信装置１に備えられる装置は、ＤＶＤ再生装置２、ＨＤ装置３などに限定されず、これら以外の種類の装置であってもよい。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４２】
【発明の効果】
発明によれば、同一画面にデジタル情報による画像とこの画像とは別個の所定情報の画像が同時に表示されたとしても、デジタル情報に基づく画像が見づらくなるようなことはない。
【図面の簡単な説明】
【図１】本実施の形態に係るデジタル放送受信装置のブロック図である。
【図２】この発明の実施の形態における画像表示に並行したＯＳＤによる情報表示の手順を示すフローチャートである。
【図３】図２の表示手順に従う場合の表示の一例を示す図である。
【符号の説明】
１  デジタル放送受信装置、２  ＤＶＤ再生装置、３  ＨＤ装置、４  チューナ、１０  制御部、１１  リモコン、１２  モニタ装置、１５  外部装置、５１
ＯＳＤ、１７〜１９  画像。
【図１】
2004328504.tif 000003
【図２】
2004328504.tif 000004
【図３】
2004328504.tif 000005